(57)【要約】【課題】ユーザの操作性を損なうことなく、タッチパネルでの消費電力を抑えることのできる携帯端末を提供する。【解決手段】携帯端末１０は、タッチパネル１２と、異なる入力装置である操作キー１３と、タッチパネル１２への電力の供給／遮断を制御するための電力制御装置１７と、タッチパネル１２の電力状態をオン状態またはオフ状態とするための制御装置であるＣＰＵ１０とを備える。ＣＰＵ１０は、タッチパネル１２がオン状態である場合にタッチ間隔およびキー操作間隔に基づいてオン状態をオフ状態に移行するか否かを判断し、タッチパネル１２がオフ状態である場合にキー操作間隔に基づいてオン状態に移行するか否かを判断する。【選択図】図１
2013165315.tif 000002
【特許請求の範囲】
【請求項１】
第１の入力装置であるタッチパネルと、
前記第１の入力装置とは異なる第２の入力装置と、
前記タッチパネルへの電力の供給／遮断を制御するための電力制御装置と、
前記電力制御装置を制御することで、前記タッチパネルの電力状態を、電力が供給されたオン状態または電力供給が遮断されたオフ状態とするための制御装置とを備え、
前記制御装置は、
前記タッチパネルがオン状態である場合に、前記タッチパネルでの操作間隔および前記第２の入力装置での操作間隔に基づいて前記オン状態を前記オフ状態に移行するか否かを判断し、
前記タッチパネルがオフ状態である場合に、前記第２の入力装置での操作間隔に基づいて前記オフ状態を前記オン状態に移行するか否かを判断する、携帯端末。
【請求項２】
前記制御装置は、
前記タッチパネルがオン状態である場合に、前記タッチパネルでのタッチ操作が第１の規定時間内なされず、かつ、前記第２の入力装置での操作が前記第１の規定時間よりも短い第２の規定時間以内になされたことが検出されると、前記オン状態を前記オフ状態に移行すると判断し、
前記タッチパネルがオフ状態である場合に、前記第２の入力装置での操作が第３の規定時間内なされないことが検出されると、前記オフ状態を前記オン状態に移行すると判断する、請求項１に記載の携帯端末。
【請求項３】
前記第２の入力装置は、キー入力を行なうための入力装置である、請求項１または２に記載の携帯端末。
【請求項４】
前記電力制御装置は、当該携帯端末に内蔵されるバッテリからの前記タッチパネルへの電力の供給／遮断を制御する、請求項１〜３のいずれかに記載の携帯端末。
【請求項５】
第１の入力装置であるタッチパネルと、前記第１の入力装置とは異なる第２の入力装置とを有する携帯端末での、前記タッチパネルへ電力の供給／遮断し、前記タッチパネルの電力状態を、電力が供給されたオン状態または電力供給が遮断されたオフ状態とするための制御方法であって、
前記タッチパネルがオン状態である場合に、前記タッチパネルでの操作間隔および前記第２の入力装置での操作間隔が予め規定された第１の条件を満たす場合に、前記オン状態を前記オフ状態に移行させるステップと、
前記タッチパネルがオフ状態である場合に、前記第２の入力装置での操作間隔が予め規定された第２の条件を満たす場合に、前記オフ状態を前記オン状態に移行させるステップとを備える、制御方法。
【請求項６】
第１の入力装置であるタッチパネルと、前記第１の入力装置とは異なる第２の入力装置とを有する携帯端末に内蔵されるコンピュータに、前記タッチパネルへ電力の供給／遮断し、前記タッチパネルの電力状態を、電力が供給されたオン状態または電力供給が遮断されたオフ状態とする制御を行なわせるためのプログラムであって、
前記タッチパネルがオン状態である場合に、前記タッチパネルでの操作間隔および前記第２の入力装置での操作間隔が予め規定された第１の条件を満たす場合に、前記オン状態を前記オフ状態に移行させるステップと、
前記タッチパネルがオフ状態である場合に、前記第２の入力装置での操作間隔が予め規定された第２の条件を満たす場合に、前記オフ状態を前記オン状態に移行させるステップと前記コンピュータに実行させる、制御プログラム。
【発明の詳細な説明】
【技術分野】
【０００１】
この発明は携帯端末、制御方法、および制御プログラムに関し、特に、タッチパネルを有する携帯端末、当該携帯端末の制御方法、および当該携帯端末の制御プログラムに関する。
【背景技術】
【０００２】
携帯電話機などの携帯端末において、表示装置および入力装置としてタッチパネルを備える装置が多くある。このような携帯端末においては、タッチパネルがオン状態であると電力が消費され、携帯時の駆動源となるバッテリが消耗される。また、タッチパネルがオン状態であると誤動作の原因ともなる。
【０００３】
そこで、たとえば特開２００２−１４９３４５号公報（以下、特許文献１）は、ユーザが操作キーを使用して入力操作を行なっているときにタッチパネルの電源を切るという技術を提案している。これにより、携帯端末での消費電力を抑えると共に、誤動作防止を図っている。詳しくは、上記文献では、
・タッチパネルから所定時間以上、タッチが検出されておらず、かつ、スイッチ（またはリモコン）の操作が検出された場合、タッチパネルのタッチ検出を停止する、
・タッチパネルをオン状態にするには、特定のボタンの押下、または、タッチパネル上での一定時間以上のタッチが検出されると、タッチ検知機能をオン状態に戻す、
という方法で、ユーザが操作キーを使用して入力操作を行なっているときに、タッチパネルをオフ状態にし、消費電力の節約と誤動作防止とを実現している。
【０００４】
また、特開平１１−２０３０４５号公報（以下、特許文献２）は、タッチパネル上での有効な入力操作が一定時間以上検出されない場合または特定の操作が検出されることでタッチパネルからの入力操作無効とし、その状態において特定領域に対する特定の操作が検出されることで、タッチパネルでの入力操作を有効とする技術を提案している。
【先行技術文献】
【特許文献】
【０００５】
【特許文献１】特開２００２−１４９３４５号公報
【特許文献２】特開平１１−２０３０４５号公報
【発明の概要】
【発明が解決しようとする課題】
【０００６】
しかしながら、これら特許文献に開示された方法では、タッチパネルのオフ状態からオン状態に戻すためには、ユーザが特定のボタンを押したり、タッチパネル上を一定時間以上タッチしたりといった操作が必要となる。すなわち、このようなスイッチの操作や、特定の手順を必要とすると、その操作がわずらわしかったり、スイッチ操作を忘れてしまったりすることがあり、タッチパネルを用いる際に不便であり、ユーザの操作性を損なう可能性がある、という問題があった。
【０００７】
本発明はこのような問題に鑑みてなされたものであって、ユーザの操作性を損なうことなく、タッチパネルでの消費電力を抑えることのできる携帯端末、制御方法、および制御プログラムを提供することを目的としている。
【課題を解決するための手段】
【０００８】
上記目的を達成するために、本発明のある局面に従うと、携帯端末は、第１の入力装置であるタッチパネルと、第１の入力装置とは異なる第２の入力装置と、タッチパネルへの電力の供給／遮断を制御するための電力制御装置と、電力制御装置を制御することで、タッチパネルの電力状態を、電力が供給されたオン状態または電力供給が遮断されたオフ状態とするための制御装置とを備える。制御装置は、タッチパネルがオン状態である場合に、タッチパネルでの操作間隔および第２の入力装置での操作間隔に基づいてオン状態をオフ状態に移行するか否かを判断し、タッチパネルがオフ状態である場合に、第２の入力装置での操作間隔に基づいてオフ状態をオン状態に移行するか否かを判断する。
【０００９】
好ましくは、制御装置は、タッチパネルがオン状態である場合に、タッチパネルでのタッチ操作が第１の規定時間内なされず、かつ、第２の入力装置での操作が第１の規定時間よりも短い第２の規定時間以内になされたことが検出されると、オン状態をオフ状態に移行すると判断し、タッチパネルがオフ状態である場合に、第２の入力装置での操作が第３の規定時間内なされないことが検出されると、オフ状態をオン状態に移行すると判断する。
【００１０】
好ましくは、第２の入力装置はキー入力を行なうための入力装置である。
好ましくは、電力制御装置は、当該携帯端末に内蔵されるバッテリからのタッチパネルへの電力の供給／遮断を制御する。
【００１１】
本発明の他の局面に従うと、制御方法は、第１の入力装置であるタッチパネルと、第１の入力装置とは異なる第２の入力装置とを有する携帯端末での、タッチパネルへ電力の供給／遮断し、タッチパネルの電力状態を、電力が供給されたオン状態または電力供給が遮断されたオフ状態とするための制御方法であって、タッチパネルがオン状態である場合に、タッチパネルでの操作間隔および第２の入力装置での操作間隔が予め規定された第１の条件を満たす場合に、オン状態をオフ状態に移行させるステップと、タッチパネルがオフ状態である場合に、第２の入力装置での操作間隔が予め規定された第２の条件を満たす場合に、オフ状態をオン状態に移行させるステップとを備える。
【００１２】
本発明のさらに他の局面に従うと、制御プログラムは、第１の入力装置であるタッチパネルと、第１の入力装置とは異なる第２の入力装置とを有する携帯端末に内蔵されるコンピュータに、タッチパネルへ電力の供給／遮断し、タッチパネルの電力状態を、電力が供給されたオン状態または電力供給が遮断されたオフ状態とする制御を行なわせるためのプログラムであって、タッチパネルがオン状態である場合に、タッチパネルでの操作間隔および第２の入力装置での操作間隔が予め規定された第１の条件を満たす場合に、オン状態をオフ状態に移行させるステップと、タッチパネルがオフ状態である場合に、第２の入力装置での操作間隔が予め規定された第２の条件を満たす場合に、オフ状態をオン状態に移行させるステップとコンピュータに実行させる。
【発明の効果】
【００１３】
この発明によると、第１の入力装置としてのタッチパネルと、第２の入力装置としてタッチパネル以外の入力装置とを有した携帯端末において、ユーザの操作性を損なうことなく、タッチパネルでの消費電力を抑えることができる。
【図面の簡単な説明】
【００１４】
【図１】実施の形態にかかる携帯端末のハードウェア構成の具体例を示すブロック図である。
【図２】実施の形態にかかる携帯端末の機能構成の具体例を示すブロック図である。
【図３】タッチパネルの電源状態がオン状態であるときの、携帯端末での動作を表わすフローチャートである。
【図４】タッチパネルの電源状態がオフ状態であるときの、携帯端末での動作を表わすフローチャートである。
【発明を実施するための形態】
【００１５】
以下に、図面を参照しつつ、本発明の実施の形態について説明する。以下の説明では、同一の部品および構成要素には同一の符号を付してある。それらの名称および機能も同じである。
【００１６】
＜装置構成＞
図１は、本実施の形態にかかる携帯端末１のハードウェア構成の具体例を示すブロック図である。携帯端末１は、第１の入力装置および表示装置としてのタッチパネルと、第１の入力装置とは異なる第２の入力装置とを備え、携帯可能な装置であればどのような装置でもよい。たとえば、入力装置としてタッチパネルと操作キーとを備えた、携帯電話機や書籍閲覧装置やデジタルカメラなどが該当する。
【００１７】
図１を参照して、携帯端末１は、全体を制御するための演算装置であるＣＰＵ（Central Processing Unit）１０と、ＣＰＵ１０で実行されるプログラムなどを記憶するためのメモリ１１と、第１の入力装置および表示装置として機能するタッチパネル１２と、第２の入力装置として機能する操作キー１３と、タイマ１４と、記録媒体Ｍから情報を読み取るための読取部１５と、当該携帯端末１の携帯時の電力源であるバッテリ１６と、バッテリ１６からの当該携帯端末１各部への電力供給を制御するための電力制御装置１７と備える。
【００１８】
操作キー１３の一例として、たとえば１０キーやＱＷＥＲＴＹキーなどのキーボードが挙げられる。また、操作キー１３の他の例として、ＵＳＢ（Universal Serial Bus）通信やＢｌｕｅｔｏｏｔｈ（登録商標）などを利用した通信で当該携帯端末１と通信可能に接続されたキーボードやマウスなども挙げられる。
【００１９】
タッチパネル１２は、液晶表示装置などの表示装置と光学式タッチパネルや静電容量タッチパネルなどの位置指示装置とが重なって構成される。
【００２０】
ＣＰＵ１０は上記プログラムを実行することで図１の各部を制御する。たとえば、ＣＰＵ１０は表示装置としてのタッチパネル１２での表示を制御する。そして、第１の入力装置としてのタッチパネル１２での入力操作および／または第２の入力装置としての操作キー１３での入力操作を受け付けて、上記プログラムの実行を進める。
【００２１】
電力制御装置１７は、ＣＰＵ１０からの制御信号に従ってバッテリ１６からの電力供給を行なったり、電力供給を遮断したりする。この電力はＣＰＵ１０自身にも供給される。
【００２２】
タッチパネル１２は、タッチ位置を検出し、その位置を表わす操作信号をＣＰＵ１０に対して入力する。また、操作キー１３は操作されたキーを特定する操作信号をＣＰＵ１０に対して入力する。これら操作信号は、タッチ位置または操作されたキーを特定する情報と共に、当該入力装置（第１の入力装置または第２の入力装置）を特定する情報も含む。これにより、ＣＰＵ１０は、操作信号の入力を受け付けると、どの入力装置からの操作信号であるか判別可能となる。
【００２３】
＜動作概要＞
本実施の形態にかかる携帯端末１では、ＣＰＵ１０がタッチパネル１２の電源のオン／オフ状態を制御する。すなわち、ＣＰＵ１０は、下の条件Ａ，Ｂに従ってタッチパネル１２の電源状態をオン状態からオフ状態へ、またはオフ状態からオン状態へと移行させるよう制御する。
【００２４】
ここで、タッチパネル１２のオン状態とはバッテリ１６からタッチパネル１２への電力供給が遮断された状態を指す。この状態においては、上記プログラムの実行に従ってＣＰＵ１０によって特定される画面表示がタッチパネル１２になされないと共に、タッチパネル１２上に対するタッチが検出されず、従って当該タッチに基づく操作信号のＣＰＵ１０への入力がなされない。
【００２５】
タッチパネル１２の電源状態をオン状態からオフ状態へ移行させる条件Ａは、次の条件（１）および（２）の両条件が満たされた場合とする：
（１）タッチパネル１２において、有効な入力操作が一定時間（たとえば６０秒間）検出されていない、
（２）操作キー１３において、連続したキー操作（たとえば先のキー操作から１秒間以内の次のキー操作）が検出された。
【００２６】
また、タッチパネル１２の電源状態をオフ状態からオン状態へ移行させる条件Ｂは、次の条件（３）が満たされた場合とする：
（３）操作キー１３において、有効なキー操作が一定時間（たとえば６０秒間）検出されていない。
【００２７】
上記条件Ａは、ユーザがタッチパネル１２での入力操作と、操作キー１３での入力操作とを並行して行なっている場合にはタッチパネル１２の電力状態はオフ状態とせずにオン状態を維持し、操作キー１３での連続した入力操作のみ行なっている場合にはタッチパネル１２での入力操作は行なわないとしてタッチパネル１２の電力状態をオフ状態に移行する、という思想に基づくものである。また、操作キー１３での連続した入力操作を行なっていない場合（つまり、単発でのキー操作を行なった場合）は項目選択や決定などの操作が想定され、この場合にはその操作の後、ユーザがすぐにタッチパネル１２を使用する可能性が考えられるためにタッチパネル１２はオフ状態とせずにオン状態を維持する、という思想に基づくものである。
【００２８】
また、上記条件Ｂは、タッチパネル１２がオフ状態である場合に操作キー１３での入力操作を連続して行なっている場合にはタッチパネル１２での入力操作は行なわないとしてタッチパネル１２の電力状態をオフ状態に維持し、操作キー１３での入力操作を一定時間行なっていない場合には、その後、タッチパネル１２での入力操作を行なう可能性が考えられるためにタッチパネル１２の電源状態をオフ状態からオン状態に復帰する、という思想に基づくものである。これにより、ユーザが意識して特定の操作を行なうことなく、タッチパネル１２の電源状態がオフ状態からオン状態に移行する。
【００２９】
なお、上の例において、「一定時間」や「連続」を検出するための時間は一例であって、他の時間であってもよい。「連続」を検出するための時間は、少なくとも「一定時間」よりも短い時間であればよい。また、タッチパネル１２でのタッチ操作の間隔である「一定時間」と、操作キー１３でのキー操作の間隔である「一定時間」とは、上述のように同じ時間であってもよいし、異なる時間であってもよい。さらに、これらの時間はユーザが設定可能であってもよいし、操作履歴に基づいて更新されるものであってもよい。
【００３０】
＜機能構成＞
図２は、本実施の形態にかかる携帯端末１で上述のタッチパネル１２の電源状態の制御を行なうための、機能構成の具体例を示すブロック図である。図２に示される各機能は、ＣＰＵ１０がメモリ１１に記憶されるプログラムを読み出して実行することで、主にＣＰＵ１０上に形成される機能である。しかしながら、少なくとも一部が図１に表わされたハードウェア構成によって実現されてもよい。
【００３１】
図２を参照して、メモリ１１には、タッチパネル１２での入力操作および操作キー１３での入力操作を表わした情報である操作情報を記憶するための記憶領域である操作情報記憶部１１１と、タッチパネル１２の現在の電力状態（オン状態かオフ状態か）を記憶するための記憶領域である電力状態記憶部１１２とが設けられる。
【００３２】
さらに図２を参照して、ＣＰＵ１０は、タッチパネル１２での入力操作に基づく操作信号の入力を受け付け、その操作信号に基づいた操作情報を操作情報記憶部１１１に格納するための第１入力部１０１と、操作キー１３での入力操作に基づく操作信号の入力を受け付け、その操作信号に基づいた操作情報を操作情報記憶部１１１に格納するための第２入力部１０２と、第１入力部１０１または第２入力部１０２で受け付けた操作信号と操作情報記憶部１１１に記憶されている操作情報と、タイマ１４から得られる時間情報と、現在のタッチパネル１２の電力状態とに基づいて、タッチパネル１２の次の電力状態を判断し、その電力状態を電力状態記憶部１１２に書き込むための判断部１０３と、タッチパネル１２の電力状態を判断部１０３で判断された次の電力状態となるよう、電力制御装置１７に対して制御信号を出力し、タッチパネル１２への電力供給を制御するための供給制御部１０４とを含む。
【００３３】
第１入力部１０１および第２入力部１０２は、それぞれ、操作信号の入力を受け付けると、入力装置を特定する情報と操作信号が入力された時刻情報と操作内容を表わした情報とを含む操作情報を操作情報記憶部１１１に格納する。
【００３４】
判断部１０３は、上記条件Ａ，Ｂに基づいて、タッチパネル１２の次の電力状態を判断する。すなわち、判断部１０３は、タッチパネル１２の電源状態に応じてオン状態では条件Ａを満たすか否かを判断し、オフ状態では条件Ｂを満たすか否かを判断し、その電源状態を維持するか他の状態に切り替えるかを判断する。
【００３５】
＜動作フロー＞
図３は、タッチパネル１２の電源状態がオン状態であるときの、携帯端末１での動作を表わすフローチャートである。図３のフローチャートに表わされた動作は、ＣＰＵ１０がメモリ１１に記憶されるプログラムを読み出して実行し、図２に表わされた各機能を発揮させることによって実現される。
【００３６】
図３を参照して、ＣＰＵ１０は操作キー１３からの操作信号の入力を監視して、操作キー１３からの操作信号の入力を受け付けることでキー操作があったことが検出されると（ステップＳ１０１でＹＥＳ）、その操作キー１３からの操作信号であることを表わす情報と操作内容を表わす情報と操作信号を受け付けた時刻を表わす情報とを操作情報として記憶させると共に、先に記憶されている、直前の操作キー１３からの操作を表わす操作情報を読み出して、操作間隔が上記条件（２）に規定された「連続した操作」として予め規定されている時間内であるか否かを判断する。この時間は、たとえば１秒間などが該当する。
【００３７】
その結果、直前のキー操作から連続したキー操作が検出されていると判断された場合（ステップＳ１０３でＹＥＳ）、ＣＰＵ１０は、さらに、タッチパネル１２からの直前のタッチ操作を表わす操作情報を読み出して、そのタッチ操作から上記条件（１）に規定された「一定時間」として予め規定された時間が経過しているか否かを判断する。この時間は、たとえば６０秒間などが該当する。
【００３８】
その結果、直前のタッチ操作から一定時間、タッチ操作が検出されていないと判断された場合（ステップＳ１０５でＹＥＳ）、上記条件（１）および（２）の両条件が満たされたこととなる。すなわち、上記条件Ａが満たされている。そこで、ステップＳ１０７でＣＰＵ１０は、現在のタッチパネル１２の電源状態であるオン状態をオフ状態に移行すると判断する。そして、その判断に従って電力制御装置１７に制御信号を出力し、タッチパネル１２への電力供給を遮断させる。これにより、タッチパネル１２の電力状態がオン状態からオフ状態に移行する。
【００３９】
一方、操作キー１３からのキー操作が検出されない場合（ステップＳ１０１でＮＯ）、または、キー操作が検出されても、直前のキー操作からの経過時間がたとえば１秒間などである上記規定された時間以上であって、連続したキー操作ではない場合（ステップＳ１０１でＹＥＳ、かつステップＳ１０３でＮＯ）、上記条件（２）が満たされていないので、上記条件Ａは満たされていない。そこで、ステップＳ１０９でＣＰＵ１０は、タッチパネル１２の電力状態を現在のオン状態を維持させると判断する。
【００４０】
また、操作キー１３からのキー操作が連続して検出された場合であって（ステップＳ１０３でＹＥＳ）、直前のタッチ操作の検出からたとえば６０秒間などである上記一定時間以内に次のタッチ操作が検出された場合にも（ステップＳ１０５でＮＯ、かつステップＳ１１１でＹＥＳ）、上記条件（１）が満たされていないので、上記条件Ａは満たされていない。そこで、ステップＳ１０９でＣＰＵ１０は、タッチパネル１２の電力状態を現在のオン状態を維持させると判断する。
【００４１】
この場合、ＣＰＵ１０は電力制御装置１７に対して電力供給を遮断させるための制御信号を出力しない。これにより、タッチパネル１２の電力状態がオン状態のまま維持される。
【００４２】
ＣＰＵ１０は、タッチパネル１２の電源状態がオン状態であるときには、所定間隔で連続して図３の動作を繰り返す。
【００４３】
図４は、タッチパネル１２の電源状態がオフ状態であるときの、携帯端末１での動作を表わすフローチャートである。図４のフローチャートに表わされた動作もまた、ＣＰＵ１０がメモリ１１に記憶されるプログラムを読み出して実行し、図２に表わされた各機能を発揮させることによって実現される。
【００４４】
図４を参照して、ＣＰＵ１０は操作キー１３からの操作信号の入力を監視して、操作キー１３からの操作信号の入力を受け付けることでキー操作があったことが検出されると（ステップＳ２０１でＹＥＳ）、上記条件（３）が満たされていないため、上記条件Ｂは満たされていない。そこで、ステップＳ２０３でＣＰＵ１０は、現在のタッチパネル１２の電源状態であるオフ状態を維持させると判断する。この場合、ＣＰＵ１０は電力制御装置１７に対して電力供給を開始させるための制御信号を出力しない。これにより、タッチパネル１２の電力状態がオフ状態のまま維持される。
【００４５】
一方、操作キー１３からのキー操作が検出されない場合（ステップＳ２０１でＮＯ）、ＣＰＵ１０は、さらに、タッチパネル１２からの直前のタッチ操作を表わす操作情報を読み出して、その検出から予め規定された一定時間が経過しているか否かを判断する。この一定時間は、たとえば６０秒間などが該当する。
【００４６】
その結果、直前のキー操作から一定時間、キー操作が検出されていないと判断された場合（ステップＳ２０５でＹＥＳ）、上記条件（３）が満たされたこととなる。すなわち、上記条件Ｂが満たされている。そこで、ステップＳ２０７でＣＰＵ１０は、現在のタッチパネル１２の電源状態であるオフ状態をオン状態に移行すると判断する。そして、その判断に従って電力制御装置１７に制御信号を出力し、タッチパネル１２への電力供給を開始させる。これにより、タッチパネル１２の電力状態がオフ状態からオン状態に移行する。
【００４７】
ＣＰＵ１０は、タッチパネル１２の電源状態がオフ状態であるときには、所定間隔で連続して図４の動作を繰り返す。
【００４８】
＜実施の形態の効果＞
本実施の形態にかかる携帯端末１において上の動作が行なわれることで、第１の入力装置であるタッチパネル１２での操作が行なわれておらず、かつ、第１の入力装置以外の第２の入力装置である操作キー１３の操作中は（上記条件Ａ）、タッチパネル１２の電源が自動的にオフ状態となる。このため、タッチパネル１２用の電力が消費されず、当該携帯端末１の携帯時の駆動源となるバッテリ１６の消費を抑えることができる。
【００４９】
また、タッチパネル１２がオフ状態となっているときに、操作キー１３での操作を一定時間行なわなくなると、タッチパネル１２の電源が自動的にオン状態に復帰する。すなわち、ユーザがタッチパネル１２の電源を復帰させるための意識的な操作を行なうことなく、自動的にタッチパネル１２の電源がオン状態に復帰する。
【００５０】
このため、ユーザの操作性を損なうことなく、タッチパネル１２での電力消費を抑えることができる。
【００５１】
さらに、上述の電源状態の制御を携帯端末１のＣＰＵ１０に実行させるためのプログラムを提供することもできる。このようなプログラムは、携帯端末１に内蔵されるＲＯＭ（Read Only Memory）やＲＡＭ（Random Access Memory）、携帯端末１で読み取り可能な記録媒体Ｍに記録させて、プログラム製品として提供することもできる。また、ネットワークを介したダウンロードによって、プログラムを提供することもできる。
【００５２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００５３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００５４】
提供されるプログラム製品は、ハードディスクなどのプログラム格納部にインストールされて実行される。なお、プログラム製品は、プログラム自体と、プログラムが記録された記録媒体とを含む。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  携帯端末、１０  ＣＰＵ、１１  メモリ、１２  タッチパネル、１３  操作キー、１４  タイマ、１５  読取部、１６  バッテリ、１７  電力制御装置、１０１  第１入力部、１０２  第２入力部、１０３  判断部、１０４  供給制御部、１１１  操作情報記憶部、１１２  電力状態記憶部、Ｍ  記録媒体。
【図１】
2013165315.tif 000003
【図２】
2013165315.tif 000004
【図３】
2013165315.tif 000005
【図４】
2013165315.tif 000006